(57)【要約】【課題】親機または子機に設定された通信機器同士の相互接続状態における外部ネットワークへの接続の確実性を向上させることができる「通信システムおよび通信方法」を提供すること。【解決手段】第１の通信装置２と第２の通信装置３との相互接続状態において、親機に設定された第１の通信装置２の第１の外部ネットワーク接続手段４による外部ネットワークへの接続が不可能な場合であっても、親機／子機設定手段１１，１２により、第１の通信装置２の設定を子機に変更するとともに第２の通信装置３の設定を親機に変更することによって、第２の通信装置３の第２の外部ネットワーク接続手段８による外部ネットワークへの接続を行うこと。【選択図】図１
2013110563.tif 000002
【特許請求の範囲】
【請求項１】
第１の通信装置と第２の通信装置とを備え、外部ネットワークへの接続が可能とされた通信システムであって、
前記第１の通信装置および前記第２の通信装置に配設され、これらの通信装置同士を相互接続する相互接続手段と、
前記第１の通信装置に配設され、所定の第１の接続方式による外部ネットワークへの接続を行う第１の外部ネットワーク接続手段と、
前記第２の通信装置に配設され、前記第１の接続方式と異なる所定の第２の接続方式による外部ネットワークへの接続を行う第２の外部ネットワーク接続手段と、
前記第１の通信装置および前記第２の通信装置に配設され、基本的に、前記第１の通信装置を親機に設定し、前記第２の通信装置を子機に設定する親機／子機設定手段と、
前記第１の通信装置に配設され、前記相互接続手段によって前記第１の通信装置と前記第２の通信装置とが相互接続された状態であって前記親機／子機設定手段によって前記第１の通信装置が親機に設定された状態において、前記第１の外部ネットワーク接続手段に、指定された情報資源にアクセスするための外部ネットワークへの接続を行わせる第１の制御手段と
を備え、
前記第１の通信装置は、前記第１の外部ネットワーク接続手段による外部ネットワークへの接続が不可能である旨の検知を行う外部ネットワーク接続不能検知手段を備え、
前記親機／子機設定手段は、前記外部ネットワーク接続不能検知手段による前記検知を契機として、前記第１の通信装置の設定を親機から子機に変更するとともに前記第２の通信装置の設定を子機から親機に変更し、
前記第２の通信装置は、前記親機／子機設定手段によって前記第２の通信装置の設定が親機に変更されたことを契機として、前記第２の外部ネットワーク接続手段に、前記情報資源にアクセスするための外部ネットワークへの接続を行わせる第２の制御手段を備え、
前記第１の通信装置および前記第２の通信装置は、両者の間で前記第２の外部ネットワーク接続手段による外部ネットワークへの接続に関する所定の情報を相手側に送信するための情報送信手段を備えたこと
を特徴とする通信システム。
【請求項２】
前記外部ネットワーク接続不能検知手段は、前記第１の外部ネットワーク接続手段による外部ネットワークへの接続処理の開始時点を基準としたタイムアウトによって前記検知を行うこと
を特徴とする請求項１に記載の通信システム。
【請求項３】
前記所定の情報は、
前記第１の通信装置側から前記第２の通信装置側に送信される前記情報資源の所在を示す情報と、
前記第２の通信装置側から前記第１の通信装置側に送信される前記情報資源から取得した情報と
を含むことを特徴とする請求項１または請求項２に記載の通信システム。
【請求項４】
前記第２の通信装置は、携帯電話機であり、
前記相互接続手段は、前記第１の通信装置と前記第２の通信装置とを無線ＬＡＮによって相互接続し、
前記第１の外部ネットワーク接続手段は、前記無線ＬＡＮおよびアクセスポイントを介して外部ネットワークへの接続を行い、
前記第２の外部ネットワーク接続手段は、携帯電話回線を介して外部ネットワークへの接続を行うこと
を特徴とする請求項１乃至請求項３のいずれか１項に記載の通信システム。
【請求項５】
前記第１の通信装置は、車載機であること
を特徴とする請求項４に記載の通信システム。
【請求項６】
第１の通信装置と第２の通信装置との間の機器間ネットワークを利用した外部ネットワークへの接続を行うための通信方法であって、
前記第１の通信装置を親機に設定し、前記第２の通信装置を子機に設定する第１のステップと、
前記第１の通信装置と前記第２の通信装置とを相互接続してネットワークを構築する第２のステップと、
前記第１のステップにおいて親機に設定された前記第１の通信装置に対する情報資源の指定を契機として、前記第１の通信装置側で、所定の第１の接続方式による前記情報資源へのアクセスのための外部ネットワークへの接続処理を開始する第３のステップと、
この第３のステップの後に、前記第１の接続方式による外部ネットワークへの接続が不可能である旨を検知する第４のステップと、
この第４のステップにおける検知を契機として、前記第１の通信装置の設定を親機から子機に変更するとともに前記第２の通信装置の設定を子機から親機に変更する第５のステップと、
この第５のステップを契機として、前記第２の通信装置側で、前記第１の接続方式と異なる所定の第２の接続方式による前記情報資源へのアクセスのための外部ネットワークへの接続を行う第６のステップと
を含むことを特徴とする通信方法。
【請求項７】
前記第６のステップの後に、前記第１の通信装置の設定を親機に戻すとともに前記第２の通信装置の設定を子機に戻す第７のステップを含むこと
を特徴とする請求項６に記載の通信方法。
【発明の詳細な説明】
【技術分野】
【０００１】
本発明は、通信システムおよび通信方法に係り、特に、通信機器同士の相互接続状態における外部ネットワークへの接続に好適な通信システムおよび通信方法に関する。
【背景技術】
【０００２】
無線ＬＡＮが市場に出された当初は、異なるメーカ間は勿論のこと、同一メーカであってもラインナップの異なる通信機器同士を相互接続できることは保証されておらず、実際に相互接続できないケースも多かった。このため、購入検討にあたり、相互接続の可否がユーザに分かりにくく、無線ＬＡＮの普及への大きな障害となっていた。
【０００３】
そこで、無線ＬＡＮ相互接続への信頼性を確保すべく、Wi-Fi Allianceによって、通信規格であるIEEE802.11シリーズを利用した無線機器間の相互接続性等についての認定事業が開始されるようになった。
【０００４】
この認定事業によって相互接続性が認定された無線機器には、認定された旨を示す名称（Ｗｉ−Ｆｉロゴ（登録商標））が表記されるため、ユーザは、これを頼りに、相互接続性を予め把握することができるようになった。
【０００５】
この種の無線ＬＡＮを利用した通信技術としては、これまでにも、種々の技術が提案されている（例えば、特許文献１、２参照）。
【先行技術文献】
【特許文献】
【０００６】
【特許文献１】特開２００４−６４７９１号公報
【特許文献２】特開２０１１−４４１５３号公報
【発明の概要】
【発明が解決しようとする課題】
【０００７】
ところで、Ｗｉ−Ｆｉ認定機器の１つとしてのスマートフォンの通信においては、無線ＬＡＮと３Ｇ（3rd Generation）回線との双方に接続されている場合には、無線ＬＡＮが優先利用されるため、無線ＬＡＮネットワークがインターネットに繋がらない場合には、ネットワークの外部との通信を行うことができなかった。
【０００８】
例えば、図４は、Ｗｉ−Ｆｉ認定機器としての車載機とスマートフォンとが、無線ＬＡＮによって相互接続された状態を示している。このような車載機とスマートフォンとの無線機器間ネットワークにおいては、車載機が親機に設定され、スマートフォンが子機に設定されるのが通常である。ここで、このような相互接続状態におけるインターネットへの接続は、親機である車載機のインターネット接続機能によって実行され、車載機のＷｅｂブラウザを介して入力されたＵＲＬに該当する情報資源（Ｗｅｂサーバ）へのアクセスが、不図示のアクセスポイントを経由して行われる。
【０００９】
しかし、図４に示すように、何らかの原因によって車載機側でインターネットへの接続ができない場合には、スマートフォン側に独自のインターネット接続機能（３Ｇ）を備えていたとしても、これを活用することはできなかった。
【００１０】
そこで、本発明は、このような点に鑑みなされたものであり、親機または子機に設定された通信機器同士の相互接続状態における外部ネットワークへの接続の確実性を向上させることができる通信システムおよび通信方法を提供することを目的とするものである。
【課題を解決するための手段】
【００１１】
前述した目的を達成するため、本発明に係る通信システムは、第１の通信装置と第２の通信装置とを備え、外部ネットワークへの接続が可能とされた通信システムであって、前記第１の通信装置および前記第２の通信装置に配設され、これらの通信装置同士を相互接続する相互接続手段と、前記第１の通信装置に配設され、所定の第１の接続方式による外部ネットワークへの接続を行う第１の外部ネットワーク接続手段と、前記第２の通信装置に配設され、前記第１の接続方式と異なる所定の第２の接続方式による外部ネットワークへの接続を行う第２の外部ネットワーク接続手段と、前記第１の通信装置および前記第２の通信装置に配設され、基本的に、前記第１の通信装置を親機に設定し、前記第２の通信装置を子機に設定する親機／子機設定手段と、前記第１の通信装置に配設され、前記相互接続手段によって前記第１の通信装置と前記第２の通信装置とが相互接続された状態であって前記親機／子機設定手段によって前記第１の通信装置が親機に設定された状態において、前記第１の外部ネットワーク接続手段に、指定された情報資源にアクセスするための外部ネットワークへの接続を行わせる第１の制御手段とを備え、前記第１の通信装置は、前記第１の外部ネットワーク接続手段による外部ネットワークへの接続が不可能である旨の検知を行う外部ネットワーク接続不能検知手段を備え、前記親機／子機設定手段は、前記外部ネットワーク接続不能検知手段による前記検知を契機として、前記第１の通信装置の設定を親機から子機に変更するとともに前記第２の通信装置の設定を子機から親機に変更し、前記第２の通信装置は、前記親機／子機設定手段によって前記第２の通信装置の設定が親機に変更されたことを契機として、前記第２の外部ネットワーク接続手段に、前記情報資源にアクセスするための外部ネットワークへの接続を行わせる第２の制御手段を備え、前記第１の通信装置および前記第２の通信装置は、両者の間で前記第２の外部ネットワーク接続手段による外部ネットワークへの接続に関する所定の情報を相手側に送信するための情報送信手段を備えたことを特徴としている。
【００１２】
また、本発明に係る通信方法は、第１の通信装置と第２の通信装置との間の機器間ネットワークを利用した外部ネットワークへの接続を行うための通信方法であって、前記第１の通信装置を親機に設定し、前記第２の通信装置を子機に設定する第１のステップと、前記第１の通信装置と前記第２の通信装置とを相互接続してネットワークを構築する第２のステップと、前記第１のステップにおいて親機に設定された前記第１の通信装置に対する情報資源の指定を契機として、前記第１の通信装置側で、所定の第１の接続方式による前記情報資源へのアクセスのための外部ネットワークへの接続処理を開始する第３のステップと、この第３のステップの後に、前記第１の接続方式による外部ネットワークへの接続が不可能である旨を検知する第４のステップと、この第４のステップにおける検知を契機として、前記第１の通信装置の設定を親機から子機に変更するとともに前記第２の通信装置の設定を子機から親機に変更する第５のステップと、この第５のステップを契機として、前記第２の通信装置側で、前記第１の接続方式と異なる所定の第２の接続方式による前記情報資源へのアクセスのための外部ネットワークへの接続を行う第６のステップとを含むことを特徴としている。
【００１３】
そして、このような本発明によれば、第１の通信装置と第２の通信装置との相互接続状態において、親機に設定された第１の通信装置による外部ネットワークへの接続が不可能な場合であっても、第１の通信装置の設定を子機に変更するとともに第２の通信装置の設定を親機に変更することによって、第２の通信装置による外部ネットワークへの接続を行うことができる。
【００１４】
さらに、本発明の通信システムにおいて、前記外部ネットワーク接続不能検知手段は、前記第１の外部ネットワーク接続手段による外部ネットワークへの接続処理の開始時点を基準としたタイムアウトによって前記検知を行ってもよい。
【００１５】
そして、このような構成によれば、第１の外部ネットワーク接続手段による外部ネットワークの接続が不可能である旨を簡便に検知することができる。
【００１６】
さらにまた、本発明の通信システムにおいて、前記所定の情報は、前記第１の通信装置側から前記第２の通信装置側に送信される前記情報資源の所在を示す情報と、前記第２の通信装置側から前記第１の通信装置側に送信される前記情報資源から取得した情報とを含んでもよい。
【００１７】
そして、このような構成によれば、第２の外部ネットワーク接続手段による外部ネットワークへの接続を特別な操作を要することなく行うことができるとともに、情報資源からの取得情報を第１の通信装置側で確実に入手することができる。
【００１８】
また、本発明の通信システムにおいて、前記第２の通信装置は、携帯電話機であり、前記相互接続手段は、前記第１の通信装置と前記第２の通信装置とを無線ＬＡＮによって相互接続し、前記第１の外部ネットワーク接続手段は、前記無線ＬＡＮおよびアクセスポイントを介して外部ネットワークへの接続を行い、前記第２の外部ネットワーク接続手段は、携帯電話回線を介して外部ネットワークへの接続を行ってもよい。
【００１９】
そして、このような構成によれば、無線ＬＡＮネットワークを介した外部ネットワークへの接続が不可能な場合であっても、携帯電話機の設定を子機から親機に変更することによって、携帯電話回線を介した外部ネットワークへの接続を行うことができる。
【００２０】
さらに、本発明の通信システムにおいて、前記第１の通信装置は、車載機であってもよい。
【００２１】
そして、このような構成によれば、車載機単体の機能による外部ネットワークへの接続が不可能な場合であっても、携帯電話機との連携によって外部ネットワークへの接続を行うことができる。
【００２２】
さらにまた、本発明の通信方法において、前記第６のステップの後に、前記第１の通信装置の設定を親機に戻すとともに前記第２の通信装置の設定を子機に戻す第７のステップを含んでもよい。
【００２３】
そして、このような方法によれば、第２の通信装置による外部ネットワークへの接続が終了した後には、第１の通信装置と第２の通信装置との親／子関係を初期状態に戻すことができる。
【発明の効果】
【００２４】
本発明によれば、親機または子機に設定された通信機器同士の相互接続状態における外部ネットワークへの接続の確実性を向上させることができる。
【図面の簡単な説明】
【００２５】
【図１】本発明に係る通信システムの実施形態を示すブロック図
【図２】図１の通信システムの動作を示す模試図
【図３】本発明に係る通信方法の実施形態を示すフローチャート
【図４】従来の通信システムの動作を示す模式図
【発明を実施するための形態】
【００２６】
（通信システムの実施形態）
以下、本発明に係る通信システムの実施形態について、図１および図２を参照して説明する。
【００２７】
図１に示すように、本実施形態における通信システム１は、第１の通信装置としての車載機２と、第２の通信装置としての携帯電話機３とを備えており、これら車載機２および携帯電話機３は、いずれもＷｉ−Ｆｉ認定機器とされている。
【００２８】
図１に示すように、車載機２は、車載機２側の相互接続手段としての車載側無線ＬＡＮ通信部４を有している。また、図１に示すように、携帯電話機３は、携帯電話機３側の相互接続手段としての携帯側無線ＬＡＮ通信部５を有している。そして、これら車載側無線ＬＡＮ通信部４と携帯側無線ＬＡＮ通信部５とは、所定の通信規格（例えば、IEEE802.11）を利用して、車載機２と携帯電話機３とを無線ＬＡＮによって公知の方法で相互接続するようになっている。相互接続が確立された状態においては、車載機２と携帯電話機３とがお互いに相手方を通信相手として認識した機器２，３間のネットワークが構築される。このような相互接続は、例えば、起動状態の車載機２と携帯電話機３とが、互いの通信部４，５のアンテナによって相手方の電波の受信が可能な領域内に配置された状態で、携帯電話機３にインストールされている相互接続用のアプリケーションが所定の入力操作にしたがって実行されたことを契機として行うようにしてもよい。また、この場合における所定の入力操作は、例えば、携帯電話機３側に予め取得されている車載機２の端末識別番号（ＳＳＩＤ）の選択および暗号化キーの入力等であってもよい。
【００２９】
また、車載側無線ＬＡＮ通信部４は、第１の外部ネットワーク接続手段としても機能し、所定の第１の接続方式としての無線ＬＡＮを利用した接続方式により、アクセスポイント（換言すれば、ホットスポット）７を介した外部ネットワークとしてのインターネットへの接続を行うことが可能とされている。なお、このようなインターネットへの接続は、車載機２にインストールされているＷｅｂブラウザがユーザ操作によって起動され、当該Ｗｅｂブラウザを介して情報資源の所在を示すＵＲＬが入力されたことを契機として行うようにしてもよい。また、このようなインターネットへの接続は、車載機２（換言すれば、自車）がアクセスポイント７からの電波の受信が可能な領域内に位置された状態において、車載機２に対してアクセスポイント７に関する種々の設定（例えば、アクセスポイント設定用のパスワードや車載機端末ＩＤの入力等）が行われたことを前提として許可されるようにしてもよい。この場合に、アクセスポイント７に関する設定は、専用のアプリケーションを車載機２にインストールしておき、このアプリケーションを入力操作（例えば、タッチパネル操作等）にしたがって実行することによって実現するようにしてもよい。
【００３０】
さらに、図１に示すように、携帯電話機３は、第２の外部ネットワーク接続手段としての携帯電話回線通信部８を有している。この携帯電話回線通信部８は、車載側無線ＬＡＮ通信部４による無線ＬＡＮ方式と異なる所定の第２の接続方式としての携帯電話回線を利用した接続方式（例えば、３Ｇや４Ｇ等）により、アクセスポイント１０を介したインターネットへの接続を行うことが可能とされている。
【００３１】
さらにまた、図１に示すように、車載機２は、車載機２側の親機／子機設定手段としての車載側親機／子機設定部１１を有している。この車載側親機／子機設定部１１は、基本的に、車載機２を親機として設定するようになっている。この設定は、親機／子機設定フラグを車載機２の記憶部に記憶させておき、このフラグの値を「親機」に該当する値に設定することによって行うようにしてもよい。また、この車載側親機／子機設定部１１による「親機」への設定は、前述した相互接続を確立するための携帯電話機３側での入力操作（ＳＳＩＤ選択、暗号キー入力等）の検知を契機として、相互接続の確立とともに行うようにしてもよい。
【００３２】
また、図１に示すように、携帯電話機３は、携帯電話機３側の親機／子機設定手段としての携帯側親機／子機設定部１２を有している。この携帯側親機／子機設定部１２は、基本的に、携帯電話機３を子機として設定するようになっている。この設定は、親機／子機設定フラグを携帯電話機３の記憶部に記憶させておき、このフラグの値を「子機」に該当する値に設定することによって行うようにしてもよい。また、この携帯側親機／子機設定部１２による「子機」への設定は、前述した相互接続を確立するための携帯電話機３側での入力操作（ＳＳＩＤ選択、暗号キー入力等）を契機として、相互接続の確立とともに行うようにしてもよい。
【００３３】
さらに、図１に示すように、車載機２は、第１の制御手段としての車載側制御部１４を有している。この車載側制御部１４は、車載側無線ＬＡＮ通信部４および携帯側無線ＬＡＮ通信部５によって車載機２と携帯電話機３とが相互接続されている状態であって、車載側親機／子機設定部１１によって車載機２が「親機」に設定され、携帯側親機／子機設定部１２によって携帯電話機３が「子機」に設定されている状態において、車載側無線ＬＡＮ通信部４への接続処理指令により、車載側無線ＬＡＮ通信部４に、指定された情報資源にアクセスするためのインターネットへの接続を行わせるようになっている。この接続は、インターネットへの接続を指示する入力操作（Ｗｅｂブラウザの起動およびＵＲＬの入力等）が行われたことを契機として行えばよい。
【００３４】
さらにまた、図１に示すように、車載機２は、外部ネットワーク接続不能検知手段としてのインターネット接続不能検知部１５を有している。このインターネット接続不能検知部１５は、車載側無線ＬＡＮ通信部４によるインターネットへの接続が不可能である旨の検知（以下、接続不能検知と称する）を行うようになっている。この接続不能検知は、車載側無線ＬＡＮ通信部４によるインターネットへの接続処理の開始時点を基準としたタイムアウトによって行うようにしてもよい。このとき、インターネット接続不能検知部１５は、インターネットへの接続処理が開始されたことについては、その旨の情報を車載側制御部１４または車載側無線ＬＡＮ通信部４から取得することによって検知してもよい。また、このとき、インターネット接続不能検知部１５は、インターネットへの接続が未完了であることについては、車載側無線ＬＡＮ通信部４の受信状態に基づいて確認してもよい。
【００３５】
そして、本実施形態において、車載側親機／子機設定部１１は、インターネット接続不能検知部１５による接続不能検知を契機として、車載機２の親機／子機設定を「親機」から「子機」に自動的に変更するようになっている。また、このとき、車載側制御部１４は、携帯電話機３に対して、親機／子機設定の変更を指令する親機／子機設定変更指令信号を、車載側無線ＬＡＮ通信部４を介して送信するようになっている。そして、携帯側親機／子機設定部１２は、このようにして送信された親機／子機設定変更指令信号にしたがって、携帯電話機３の親機／子機設定を、「子機」から「親機」に自動的に変更するようになっている。
【００３６】
また、図１に示すように、携帯電話機３は、第２の制御手段としての携帯側制御部１６を有している。この携帯側制御部１６は、携帯側親機／子機設定部１２によって携帯電話機３の親機／子機設定が「親機」に変更されたことを契機として、携帯電話回線通信部８への接続処理指令により、携帯電話回線通信部８に、車載機２側で指定されていた情報資源と同一の情報資源にアクセスするためのインターネットへの接続を行わせるようになっている。
【００３７】
さらに、図１に示すように、車載機２は、車載機２側の情報送信手段としての車載側情報送信処理部１７を有している。この車載側情報送信処理部１７は、携帯電話回線通信部８によるインターネットへの接続に関する所定の情報として、車載機２側で入力されたＵＲＬ情報（情報資源の所在を示す情報）を、車載側無線ＬＡＮ通信部４を介して携帯電話機３に送信するようになっている。このＵＲＬ情報は、車載機２のＷｅｂブラウザに対する入力操作の結果によって取得すればよい。また、このＵＲＬ情報の送信は、前述した親機／子機設定変更指令信号の送信とともに行うようにしてもよい。
【００３８】
さらにまた、図１に示すように、携帯電話機３は、携帯電話機３側の情報送信手段としての携帯側情報送信処理部１８を有している。この携帯側情報送信処理部１８は、携帯電話回線通信部８によるインターネットへの接続に関する所定の情報として、情報資源から取得した情報（インターネットコンテンツ）を、携帯側無線ＬＡＮ通信部５を介して車載機２に送信するようになっている。
【００３９】
また、図１に示すように、車載機２および携帯電話機３の各通信部４，５，８には、それぞれの通信機能によって受信した情報を取得するためのデータ取得部１９，２０，２１が接続されている。
【００４０】
このような構成によれば、図２（ａ）に示すように、車載機２と携帯電話機３との相互接続状態において、親機に設定された車載機２の車載側無線ＬＡＮ通信部４によるインターネットへの接続が不可能な場合であっても、図２（ｂ）に示すように、車載機２の親機／子機設定を「子機」に変更するとともに携帯電話機３の親機／子機設定を「親機」に変更することによって、携帯電話機３の携帯電話回線通信部８によるインターネットへの接続を行うことができる。
【００４１】
なお、車載機２の各構成部は、ＣＰＵやＭＰＵ等の演算処理装置、演算処理装置の実行プログラム（システムソフト、アプリケーションソフト）や該プログラムの実行に必要なデータが記憶されたＲＯＭ等のプログラム／データ記憶装置、演算処理装置の処理結果や通信を介して取得した情報の保存等に用いるＲＡＭ等の記憶装置、無線ＬＡＮ通信モジュールおよびタッチパネル等の入力装置等によって実現してもよい。また、図示はしないが、車載機２には、インターネットビデオコンテンツや各種の操作画面の表示を行うための表示部や、インターネットオーディオコンテンツの音声出力を行うための音声出力部が備えられている。
【００４２】
同様に、携帯電話機３の各構成部は、演算処理装置、演算処理装置の実行プログラムや該プログラムの実行に必要なデータが記憶されたプログラム／データ記憶装置、演算処理装置の処理結果や通信を介して取得した情報の保存等に用いる記憶装置、無線ＬＡＮ通信モジュール、携帯電話回線通信モジュールおよび入力装置等によって実現してもよい。また、図示はしないが、携帯電話機３にも、表示部および音声出力部が備えられている。
【００４３】
（通信方法の実施形態）
次に、前述した通信システム１を適用した本発明に係る通信方法の実施形態について、図３を参照して説明する。
【００４４】
本実施形態においては、まず、図３のステップ１（ＳＴ１）において、車載側無線ＬＡＮ通信部４および携帯側無線ＬＡＮ通信部５により、前述した手法によって、車載機２と携帯電話機３との相互接続を行う。このとき、車載側親機／子機設定部１１により、車載機２の親機／子機設定を「親機」に初期設定するとともに、携帯側親機／子機設定部１２により、携帯電話機３の親機／子機設定を「子機」に初期設定する。
【００４５】
次いで、ステップ２（ＳＴ２）において、車載側制御部１４により、車載機２に対して、インターネットへの接続の指示が行われたか否かを判定する。そして、ステップ２（ＳＴ２）において肯定的な判定結果が得られた場合には、ステップ３（ＳＴ３）に進み、否定的な判定結果が得られた場合には、ステップ２（ＳＴ２）を繰り返す。
【００４６】
次いで、ステップ３（ＳＴ３）において、車載側無線ＬＡＮ通信部４により、車載側制御部１４の接続処理指令にしたがって、インターネットへの接続処理を開始する。
【００４７】
次いで、ステップ４（ＳＴ４）において、インターネット接続不能検知部１５により、車載側無線ＬＡＮ通信部４の受信状態に基づいて、インターネットへの接続が成功したか否かを判定する。そして、ステップ４（ＳＴ４）において肯定的な判定結果が得られた場合には、処理を終了し、否定的な判定結果が得られた場合には、ステップ５（ＳＴ５）に進む。
【００４８】
次いで、ステップ５（ＳＴ５）において、インターネット接続不能検知部１５により、ステップ３（ＳＴ３）における接続処理の開始から所定時間が経過した（タイムアウト）か否かを判定する。そして、ステップ５（ＳＴ５）において肯定的な判定結果が得られた場合には、接続不能状態が検出されたとしてステップ６（ＳＴ６）に進み、否定的な判定結果が得られた場合には、ステップ４（ＳＴ４）に戻る。
【００４９】
次いで、ステップ６（ＳＴ６）において、車載側親機／子機設定部１１により、ステップ５（ＳＴ５）における接続不能状態の検出を契機として、前述した手法によって、車載機２の親機／子機設定を「子機」に変更するとともに、携帯側親機／子機設定部１２により、車載側制御部１４からの親機／子機設定変更指令信号にしたがって、携帯電話機３の親機／子機設定を「親機」に変更する。このとき、車載機２側から携帯電話機３側に、ステップ３（ＳＴ３）における接続処理によってアクセスしようとしていた情報資源の所在を示すＵＲＬ情報を送信する。
【００５０】
次いで、ステップ７（ＳＴ７）において、携帯側制御部１６により、ステップ６（ＳＴ６）において携帯電話機３の親機／子機設定が「親機」に変更されたことを契機として、携帯電話回線通信部８への接続処理指令により、車載機２側で指定されていた情報資源と同一の情報資源を自動的に指定（ＵＲＬ入力）したインターネットへの接続を行う。
【００５１】
このようにしてインターネットへの接続を行った場合には、情報資源のＷｅｂページにアクセスできるわけであるが、このＷｅｂページにおける所望の情報取得のための操作は、車載機２側での入力操作（座標信号）が、無線ＬＡＮを介して携帯電話機３側に通知され、この入力操作に対応する情報要求信号が、携帯側制御部１６によって携帯電話回線通信部１８を通じてＷｅｂサーバに通知されることによって行われる。そして、情報資源（Ｗｅｂサーバ）側では、通知された情報要求信号に応答した情報配信を行う。
【００５２】
なお、ステップ７（ＳＴ７）における携帯電話回線通信部８によるインターネットへの接続が終了して回線が切断された場合には、これを契機として、携帯側親機／子機設定部１２により、携帯電話機３の親機／子機設定を「子機」に戻すとともに、車載側親機／子機設定部１１により、携帯側制御部１６からの親機／子機設定変更指令信号にしたがって、車載機２の親機／子機設定を「親機」に戻すようにしてもよい。
【００５３】
なお、本発明は、前述した実施の形態に限定されるものではなく、本発明の特徴を損なわない限度において種々変更することができる。
【００５４】
例えば、第１の通信装置は、車載機２以外の通信装置（例えば、ホーム用のコンピュータ等）であってもよい。
【符号の説明】
【００５５】
１  通信システム
２  車載機
３  携帯電話機
４  車載側無線ＬＡＮ通信部
５  携帯側無線ＬＡＮ通信部
１１  車載側親機／子機設定部
１２  携帯側親機／子機設定部
１４  車載側制御部
１５  インターネット接続不能検知部
１６  携帯側制御部
１７  車載機側情報送信処理部
１８  携帯側情報送信処理部
【図１】
2013110563.tif 000003
【図３】
2013110563.tif 000004
【図２】
2013110563.tif 000005
【図４】
2013110563.tif 000006